(57)【要約】      （修正有）【課題】端子及び基板を一体成形することができるパワーモジュール用射出成形体の製造方法及びそれに用いる特定形状の端子を提供する。【解決手段】パワーモジュール用射出成形体の製造方法であって、特定形状を有する端子１の第一先端部１２を基板７に差し込む工程と、第二先端部１３が樹脂成形金型４内の端子挿入部４１に挿入されるように、前記基板を前記金型に配置する工程と、前記金型に樹脂５を流入することにより、前記基板及び前記端子を一体成形する工程と含む、製造方法。【選択図】図５
2019171723.tif 000002
【特許請求の範囲】
【請求項１】
被接続機器に電気的に接続できるパワーモジュール用射出成形体の製造方法であって、
２つの端部をつなげる端子本体と、前記端部のうち一方を含む第一先端部と、前記第一先端部の反対側の端部を含む第二先端部と、前記端子本体に設けられている第一本体拡張部とを含み、前記第一本体拡張部における前記端子本体の長さ方向に直交する断面の面積は、前記端子本体における前記端子本体の長さ方向に直交する断面の面積よりも大きい端子を、前記第一先端部から基板に差し込む工程と、
前記第二先端部が樹脂成形金型内の端子挿入部に挿入されるように、前記基板を前記金型に配置する工程と、
前記金型に樹脂を流入することにより、前記基板及び前記端子を一体成形する工程とを含む製造方法。
【請求項２】
前記第二先端部の先端から前記第一本体拡張部までの長さが、前記金型の前記端子挿入部の深さよりも大きい、請求項１に記載の製造方法。
【請求項３】
前記第二先端部の先端から前記第一本体拡張部までの長さが、前記金型の前記端子挿入部の深さと同じであるか又は小さい、請求項１に記載の製造方法。
【請求項４】
前記端子本体に第二本体拡張部がさらに設けられており、前記第二先端部の先端から第二本体拡張部までの長さが、前記金型の前記端子挿入部の深さよりも大きい、請求項３に記載の製造方法。
【請求項５】
樹脂製筐体と、
前記筐体に一体化されている基板と、
前記筐体に一体化されており、前記基板に接続されている端子とを含む、被接続機器に電気的に接続できるパワーモジュール用射出成形体であって、
前記端子は、２つの端部をつなげる端子本体と、前記端部のうち一方を含む第一先端部と、前記第一先端部の反対側の端部を含む第二先端部と、前記端子本体に設けられている第一本体拡張部とを含み、前記第一本体拡張部における前記端子本体の長さ方向に直交する断面の面積は、前記端子本体における前記端子本体の長さ方向に直交する断面の面積よりも大きく、前記筐体から前記第二先端部が露出している、パワーモジュール用射出成形体。
【請求項６】
２つの端部をつなげる端子本体と、
前記端部のうち一方を含む第一先端部と、
前記第一先端部の反対側の端部を含む第二先端部と、
前記端本体に設けられている第一本体拡張部とを含み、
前記第一本体拡張部における前記端子本体の長さ方向に直交する断面の面積は、前記端子本体における前記端子本体の長さ方向に直交する断面の面積よりも大きい、端子。
【請求項７】
前記端子本体に第二本体拡張部がさらに設けられ、且つ、前記端子の長さ方向の中心点で前記第一先端部を含む第一部と前記第二先端部を含む第二部とに分けた場合、第一部と第二部とは、同じ形状を有する、請求項６に記載の端子。
【発明の詳細な説明】
【技術分野】
【０００１】
本発明は、端子、その端子を備えたパワーモジュール用射出成形体、及びその製造方法に関する。
【背景技術】
【０００２】
近年、電気自動車の開発により、車載用パワー（半導体）モジュールが注目されている。
【０００３】
車載用パワーモジュールに使用される、複数の端子を備えるパワーモジュール用射出成形体は、図１に示すように、複数の端子１Ｃを一まとめにするために樹脂成形により連結部ＣＣを形成し（図１の（ａ））、連結部ＣＣにより一まとめになった端子１Ｃを、樹脂成形金型４Ｃに配置し（図１の（ｂ））、樹脂５Ｃを金型４Ｃに流入し（図１の（ｃ））、最後に脱型（図１の（ｄ））することにより製造している。すなわち、これは端子１Ｃをブロック化（一次成形）した後、２次成形を実施する製造方法である。なお、端子がブロック化されたものは、一般的にリードフレーム、制御端子台、信号端子台等と呼ばれるが、本明細書では統一してピンブロックと呼ぶことにする。
【０００４】
このような製造方法として、例えば、特許文献１には、パワー半導体モジュールを低背化及び小型化することを目的としたパワー半導体モジュールの製造方法が記載されているが、特許文献１に開示された方法も、まず、端子ブロックを製造してから、インサート成形している。すなわち、特許文献１においても、端子をブロック化している。
【先行技術文献】
【特許文献】
【０００５】
【特許文献１】特開２０１７−４５７７１号公報
【発明の概要】
【発明が解決しようとする課題】
【０００６】
しかしながら、上記したような、連結部ＣＣを作製（一次成形）した後、連結部ＣＣに備えられた端子１Ｃを樹脂成形金型４Ｃに配置し、射出成形（二次成形）すると、成形プロセスが２回になり高コストである。また、一次成形でわずかな寸法誤差が生じてしまうと、二次成形体にも一次成形での誤差が影響し、最終製品には大きな寸法誤差を生じさせてしまう。
【０００７】
同時に、図２の連結部ＣＣに備えられた端子１Ｃが直角に折れ曲がっている形状であると、端子３Ｃの直下に、端子３Ｃの一方の先端である接続部１３１が配置される構造になり、パワー制御半導体が実装された本体基板との接続において極めて制限の多い機構となってしまう。
【０００８】
さらに言うと、従来技術で製造したパワーモジュール射出成形体を示す図２からもわかるように、一次成形で作製した連結部ＣＣと、その後射出成形した部分（二次成形）とは境目ができてしまい、半導体素子の封止に使用する液状封止材料等がその境目に入り込み、その境目にできた隙間を通じて意図しない箇所へ封止材が漏れ出す場合がある。
【０００９】
上記の問題を解決するために、連結部ＣＣを製造せずに、端子等を樹脂成形金型に配置した状態で一体成形をすると、射出成形時の金型内への樹脂の流入によって端子が傾く又は倒れるなどの不都合が生じ、精密な樹脂成形が困難となってしまう。さらには、一体成形ができたとしても、従来のストレートタイプの端子は樹脂成形体から抜けてしまう可能性がある。
【課題を解決するための手段】
【００１０】
上記課題を解決するために、発明者らは鋭意研究を重ね、新規な端子、およびその端子を基板に挿入した状態で樹脂一体成型したパワーモジュール用射出成形体、及びその製造方法を開発した。
すなわち、本発明は以下を包含する。
［１］  被接続機器に電気的に接続できるパワーモジュール用射出成形体の製造方法であって、
２つの端部をつなげる端子本体と、前記端部のうち一方を含む第一先端部と、前記第一先端部の反対側の端部を含む第二先端部と、前記端子本体に設けられている第一本体拡張部とを含み、前記第一本体拡張部における前記端子本体の長さ方向に直交する断面の面積は、前記端子本体における前記端子本体の長さ方向に直交する断面の面積よりも大きい端子を、前記第一先端部から基板に差し込む工程と、
前記第二先端部が樹脂成形金型内の端子挿入部に挿入されるように、前記基板を前記金型に配置する工程と、
前記金型に樹脂を流入することにより、前記基板及び前記端子を一体成形する工程とを含む、製造方法。
［２］  前記第二先端部の先端から第一本体拡張部までの長さが、前記金型の前記端子挿入部の深さよりも大きい、［１］に記載の製造方法。
［３］  前記第二先端部の先端から第一本体拡張部までの長さが、前記金型の前記端子挿入部の深さと同じであるか又は小さい、［１］に記載の製造方法。
［４］  前記端子本体に第二本体拡張部がさらに設けられており、前記第二先端部の先端から第二本体拡張部までの長さが、前記金型の前記端子挿入部の深さよりも大きい、［３］に記載の製造方法。
［５］  樹脂製筐体と、
前記筐体に一体化されている基板と、
前記筐体に一体化されており、前記基板に接続されている端子とを含む、被接続機器に電気的に接続できるパワーモジュール用射出成形体であって、
前記端子は、２つの端部をつなげる端子本体と、前記端部のうち一方を含む第一先端部と、前記第一先端部の反対側の端部を含む第二先端部と、前記端子本体に設けられている第一本体拡張部とを含み、前記第一本体拡張部における前記端子本体の長さ方向に直交する断面の面積は、前記端子本体における前記端子本体の長さ方向に直交する断面の面積よりも大きく、前記筐体から前記第二先端部が露出している、パワーモジュール用射出成形体。
［６］  ２つの端部をつなげる端子本体と、
前記端部のうち一方を含む第一先端部と、
前記第一先端部の反対側の端部を含む第二先端部と、
前記端本体に設けられている第一本体拡張部とを含み、
前記第一本体拡張部における前記端子本体の長さ方向に直交する断面の面積は、前記端子本体における前記端子本体の長さ方向に直交する断面の面積よりも大きい、端子。
［７］  前記端子本体に第二本体拡張部がさらに設けられ、且つ、前記端子の長さ方向の中心点で前記第一先端部を含む第一部と前記第二先端部を含む第二部とに分けた場合、第一部と第二部とは、同じ形状を有する、［６］に記載の端子。
【発明の効果】
【００１１】
本発明のパワーモジュール用射出成形体を製造する方法は、ピンブロック化せずに端子をインサート成形により一体化、境目（継ぎ目）のない射出成形体を製造することができる。境目のない射出成形体は、液状封止材料等の他の樹脂が境目に入り込むことを防止することができる。さらに、本発明の製造方法は、端子をブロック化せずに、基板に端子を直接挿入した状態で、一回の射出成形でパワーモジュールが製造できるため、低コストである上、ピンブロック（図１における連結部ＣＣ）の寸法誤差の影響がパワーモジュール用射出成形体に及ばないため、高い精度で製造することができる。
さらに、ピンブロックの存在を考慮することなく、射出成形（インサート成形）の圧力や温度等を設定することができるため、成形条件の自由度を高めることができる。また、端子を基板に挿入し、基板の配線パターンを任意に設けることにより、図２で示した端子１３Ｃの先端である接続部１３１Ｃをもう一方の先端の直下に固定させることなく、例えば、図４で示す位置に配置できる。これにより、本体基板の実装自由度を向上させることができる。
同時に基板の厚みを変更した場合においても、ピンブロック化しない状態であるため、基板への端子の挿入量を自由に変更することができる。
【図面の簡単な説明】
【００１２】
【図１】図１は、従来から行われている端子１Ｃを用いてパワーモジュール用射出成形体１００Ｃを製造する方法の模式図である。
【図２】図２は、従来の方法で製造された端子１Ｃを備えたパワーモジュール用射出成形体１００Ｃの斜視図である。
【図３】図３（ａ）は、端子１の正面図である。図３（ｂ）は端子２の正面図である。
【図４】図４は、端子１を備えたパワーモジュール用射出成形体１００の斜視図である。
【図５】図５は、端子１を用いてパワーモジュール用射出成形体１００を製造する方法を示す模式図である。
【図６】図６は、プレスフィット端子３を用いてパワーモジュール用射出成形体１０１を製造する方法を示す模式図である。
【発明を実施するための形態】
【００１３】
以下、実施例を挙げて本発明を詳細に説明するが、本発明はこれら実施例に限定されるものではない。
【実施例】
【００１４】
［端子］
まず、本発明のパワーモジュール用射出成形体の製造方法に用いられる端子（制御端子）について説明する。
【００１５】
図３（ａ）では、実施例である端子１を示す。端子１は、２つの端部をつなげる端子本体１１と、前記端子本体１１の一方の端部１２１を含む第一先端部１２と、前記第一先端部１２の反対側の端部１３１を含む第二先端部１３と、前記端子本体１１に設けられている第一本体拡張部１４を備える。
【００１６】
端子本体１１は、端子１の本体を構成している。端子１は、基板と他の基板等の電気的部品とを電気的に接続し、電流を流すためのものである。したがって、端子本体１１は、所定の長さを有するピン形状のものであることが好ましい。
【００１７】
端子本体１１の長さ方向に直交する断面は長方形であるが、これはモジュールや樹脂成形金型によって適宜変更できるものであり、正方形等の多角形でもよいし、円形、楕円形などでもよい。
【００１８】
第一先端部１２は、基板のスルーホールに差し込むための形状を有している。したがって、基板に端子１の第一先端部１２を差し込みやすくするために、第一先端部１２の端部１２１は、テーパー状になっている。第一先端部１２を基板に差し込み、基板の反対側からはんだを用いることにより、端子１と基板とを接続する。
【００１９】
第二先端部１３は、端子本体１１の第一先端部１２に対して反対側の端部１３１を含む部分である。端子１の第一先端部１２が接続されている基板ではなく、別の回路基板等の電気部品（被接続機器）と接続する形状を有している。なお、そのため第二先端部１３は、被接続機器の接続部分の形状に応じて適宜変更することが可能である。なお、端部１３１も端子本体１１に比べて細くなっており、テーパー状である。このように細くなることで、他の基板に設けられたスルーホールに差し込みやすい。なお、端子１は他の回路基板等とも、はんだで固定することができる。
【００２０】
端子１は、端子本体１１に第一本体拡張部１４を備える。第一本体拡張部１４の端子本体１１の長さ方向に対して垂直な断面は長方形であるが、樹脂成形用金型等に応じて適宜変更できる。第一本体拡張部１４は、端子本体１１よりも太くなっている。すなわち、第一本体拡張部１４における端子本体１１の長さ方向に直交する断面の面積は、前記端子本体１１における端子本体１１の長さ方向に直交する断面の面積よりも大きいものである。
【００２１】
図３（ｂ）には、別の態様の端子２を示す。端子２は、端子本体と２１、前記端子本体２１の一方の端部２２１を含む第一先端部２２と、前記第一先端部２２の反対側の端部２３１を含む第二先端部２３と、前記端子本体２１に設けられている第一本体拡張部２４と、第二本体拡張部２５とを備える。
【００２２】
端子２は、第一本体拡張部２４に加えて、第二本体拡張部２５を備える。また、前記端子２の長さ方向の中心点で、第一先端部２２を含む第一部と前記第二先端部２３を含む第二部とに分けた場合、第一部と第二部とは、同じ形状を有している。すなわち、端子２の長さ方向の中心点に対して、左右対称の形状を有している。なお、第一本体拡張部２４は、第二部に含まれ、第二本体拡張部２５は、第一部に含まれる。この場合、言うまでもなく、第一本体拡張部２４と、第二本体拡張部２５とは、同一の形状である。
【００２３】
なお、図３（ａ）に示す端子１、図３（ｂ）に示す端子２のそれぞれの第一先端部１２，２２又は第二先端部１３，２３は、プレスフィットをするための形状にしてもよい。プレスフィットの形状にすることにより、はんだを用いなくとも、端子１又は端子２が保持され、端子１又は端子２と基板とを電気的に接続することができる。また、はんだを用いる必要がないため、はんだの融点を気にすることなく高耐熱樹脂を使用することができる。なお、第一先端部１２，２２及び第二先端部１３，２３の両方ともプレスフィットをするための形状にしてもよい。
【００２４】
なお本明細書でプレスフィットとは、回路基板等の基板に設けられたスルーホールに端子の先端を押し込み、押し込んだ状態のときに発生する復元力により、端子が基板と接触し通電できる状態を保持することである。
【００２５】
プレスフィットの形状は、例えば、図６に示すように、楕円形状で、中心に楕円形状の穴があるような形状を有している。このような形状を有することにより、第一先端部を基板に設けられている特定形状のスルーホールに差し込むことで、端子と基板とを接触及び保持することができる。プレスフィットの形状において、先端は基板に差し込みやすいように、尖っている。
【００２６】
［パワーモジュール用射出成形体］
次に、本発明のパワーモジュール用射出成形体について説明する。端子１を備えているパワーモジュール用射出成形体１００を図４に示す。パワーモジュール用射出成形体１００は、被接続機器に電気的に接続できるパワーモジュールであって、樹脂製筐体６と、前記筐体６に一体化されている基板７と、前記筐体６に一体化されており、前記筐体６から前記第二先端部１３が露出している端子１とを含む。パワーモジュール用射出成形体１００は、一体成形されているため、従来の製造方法のパワーモジュール用射出成形体１００Ｃにある樹脂と樹脂との境目がない。
【００２７】
なお、図４では図示されていないが、端子１及び基板７以外の金属製部品等も一体成形により、備えることができる。
【００２８】
本発明のパワーモジュール用射出成形体１００は、さらに半導体素子、リードフレームなどを備えて、パワー半導体モジュールにすることができる。当該パワー半導体モジュールは第二先端部１３を介して、被接続機器に接続することができる。
【００２９】
［端子１を用いたパワーモジュール用射出成形体１００の製造］
次に本発明のパワーモジュール用射出成形体１００の製造（一体成形）について説明する。本発明の製造方法によれば、パワーモジュール用射出成形体１００を、一回の射出成形により端子１と基板７とを一体化して製造することができる。
【００３０】
具体的には、本発明のパワーモジュール用射出成形体１００の製造方法は、端子１の第一先端部１２を基板７に差し込む工程と、第二先端部１３が樹脂成形金型４内の端子挿入部４１に挿入されるように、前記基板７を前記金型４に配置する工程と、前記金型４に樹脂５を流入することにより、前記基板７及び前記端子１を一体成形することを含む。
【００３１】
本発明のパワーモジュール用射出成形体１００の製造方法を、具体的に図５を用いて説明する。まず、本発明の端子１の第一先端部１２を基板７のスルーホールに差し込む（図５（ａ）、（ｂ））。第一先端部１２は、基板７の差し込んだ反対側からはんだ８により接続される。
【００３２】
基板７に端子１が保持された状態で、端子１の第二先端部１３を、樹脂成形金型４の各端子１に対応した端子挿入部４１に挿入する（図５（ｃ））。このとき、樹脂成形金型４の端子挿入部４１の深さＤ（図５（ｂ）に図示）と、第二先端部１３の端部１３１から第一本体拡張部１４の最も第一先端部１２に近い部分までの距離ｄ（図５（ｃ）に図示）とが、ｄ＞Ｄの関係になっている。これにより、第一本体拡張部１４が樹脂５（筐体６）の内部に位置するようになるため、端子１が樹脂５（筐体６）から摩擦抵抗により抜けにくい状態となる。
【００３３】
図３（ｂ）の端子２の場合は、第一本体拡張部２４と、第二本体拡張部２５との二つの本体拡張部を備える。端子２を用いたパワーモジュール用射出成形体１００の製造においては、樹脂成形金型４の端子挿入部４１の深さＤと、第二先端部２３の端部２３１から第一本体拡張部２４の最も第一先端部２２に近い部分までの距離ｄとが、ｄ＝Ｄ又はｄ＜Ｄの関係になっている。第一本体拡張部２４が、ｄ＝Ｄ又はｄ＜Ｄの関係を満たす場合は、端子挿入部の中に、樹脂が流入してしまうことを防止し、成形後、端子２の先端を樹脂５から出すことができる。なお、第二本体拡張部２５から、第二先端部２３の端部２３１までの距離ｄ’は、ｄ’＞Ｄの関係になっている。
【００３４】
図３（ｂ）の端子２では、第一本体拡張部２４と、端子本体２１との第二先端部２３側の第一接続部２４１は、傾斜して接続しており、第一接続部２４１はテーパー形状を有するため、端子挿入部４１に破損なくスムーズに挿入できる。図３（ｂ）が示すように、端子２の第二本体拡張部２５も同様のテーパー形状を有することができる。
【００３５】
端子１を樹脂成形金型４の端子挿入部４１に挿入した状態で、樹脂５を樹脂成形金型４に流入し、一体成形する（（図５（ｄ））。
【００３６】
樹脂５が所定の固さに硬化した後、樹脂成形金型４を取り除く（（図５（ｅ））。これらの工程により、パワーモジュール用射出成形体１００の筐体６の内部で基板７に接続し、かつ、第二先端部１３が、樹脂５（筐体６）から露出したパワーモジュール用射出成形体１００を一体成形することができる。
【００３７】
［プレスフィット端子３を用いたパワーモジュール用射出成形体１０１の製造］
次にプレスフィット端子３を用いたパワーモジュール用射出成形体１０１の製造（一体成形）について説明する。プレスフィット端子３は、プレスフィットするための形状を第一先端部３２及び第二先端部３３に有している。また、プレスフィット端子３は、第一本体拡張部３４と、第二本体拡張部３５との二つの本体拡張部を備える。
【００３８】
プレスフィット端子３を用いたパワーモジュール用射出成形体１０１の製造方法を、図６を用いて説明する（なお、図面において、パワーモジュール用射出成形体１０１の全体図は図示しない）。パワーモジュール用射出成形体１０１の製造方法は、図５を用いて説明した「端子１を用いたパワーモジュール用射出成形体１００の製造」と基本的には同様の工程である。
【００３９】
ただし、基板７にプレスフィット端子３の第一先端部３２を差し込んだときに、第一先端部３２はプレスフィットするための形状を有しているため、はんだを用いずに、電気的に接続・固定することができる（図６（ｂ）を参照）。
第一本体拡張部３４の最大幅は第二先端部３３の最大幅よりも大きくなるように形成されている。プレスフィット端子の場合、先端部の形状が部分的に湾曲しているため、端子３の挿入部の断面形状と端子３の第一先端部３２の形状を隙間なく一致させる事が難しい場合がある。第一本体拡張部３４の最大幅を第二先端部３３の最大幅よりも大きくなるように形成するとともに、第一本体拡張部３４の形状を金型４の端子挿入部４１の形状と略一致させることで、樹脂の金型側への流出を防止する事が可能となる。
【００４０】
すなわち、端子３の第一本体拡張部３４は、端子挿入部４の中に入るようにする。具体的には、図６のように、ｄ＝Ｄ、又はｄ＜Ｄにすることにより、第一本体拡張部３４が端子挿入部４１の蓋のような役割をして、端子挿入部４１を塞ぐため、樹脂５は端子挿入部４１に入り込みにくくなる。第一本体拡張部３４の長さ方向に直交する断面形状を、端子挿入部４１の形状に対応させることにより、端子挿入部４１への樹脂５の流出をほとんど抑制することができる。これにより、第二先端部３３を樹脂５からなる筐体６からきれいに露出させることができる（図５（ｅ））。このとき、第二本体拡張部３５は、端子挿入部４１の外に出ている部分に設けられている。
【００４１】
このように、プレスフィット端子３を用いる場合は、基板７との接続にはんだを用いない点で端子１とは異なるが、本発明パワーモジュール用射出成形体の製造方法は実施することができる。
【００４２】
本発明の製造方法で得られたパワーモジュール用射出成形体は、樹脂に境目が生じず、例えば、パワーモジュール用射出成形体に半導体を実装したのち、液状封止剤等で樹脂封入を行う場合、液状封止剤が境目に入り込まず、意図しない箇所へ封止材が漏れ出すことがない。
【００４３】
以下に上記実施例の効果を、端子１を用いた場合を例にして下記する。
［効果］
［１］被接続機器に電気的に接続できるパワーモジュール用射出成形体１００の製造方法であって、２つの端部をつなげる端子本体１１と、端部のうち一方を含む第一先端部１２と、第一先端部１２の反対側の端部を含む第二先端部１３と、端子本体１１に設けられている第一本体拡張部１４とを含み、前記第一本体拡張部１４における前記端子本体１１の長さ方向に直交する断面の面積は、前記端子本体における前記端子本体１１の長さ方向に直交する断面の面積よりも大きい端子１を、第一先端部１２から基板７に差し込む工程と、第二先端部１３が樹脂成形金型４内の端子挿入部４１に挿入されるように、基板７を金型４に配置する工程と、金型４に樹脂５を流入することにより、基板７及び端子１を一体成形する工程と含む、製造方法は、端子１をピンブロック化（一次成形）する必要がないため、一次成形品の寸法バラつき分及び金型クリアランス分の寸法精度が向上する。具体的には、従来技術で製造していたピンブロック（図１における連結部ＣＣ）は樹脂成形品であるため、本発明のパワーモジュール用射出成形体のピンブロックは、樹脂の収縮や射出成形時の圧力等を考慮し一般公差でも、±０．１ｍｍの誤差は生じてしまう。それに加えて一次成形における金型のクリアランス最小でも０．０３ｍｍ、最大では０．１３ｍｍの寸法バラつきが発生する。一方、本発明の製造方法によれば、一次成形をする必要がないため、一次成形における金型のクリアランスは必要なくなり、最終的な誤差は０〜０．１ｍｍ以内に収まる。このように、当該製造方法は、従来の製造方法に比べて、精度の観点から極めて優位である。
さらに、ピンブロック（連結部ＣＣ）の存在する場合は、射出成形時の樹脂の流れを阻害してしまう。一方、本発明の態様の製造方法であれば、ピンブロックがなく端子１単体であるため抵抗が少なく、成形時の圧力や温度等を設定することができ、成形条件の自由度を高めることができる。
さらには、基板の厚み等に変更があった場合は、従来製造方法の場合、端子の挿入量などの関係からピンブロック自体を変更する必要があったが、端子１を基板７に直接挿入することで、様々な変更に柔軟に対応できる。
そして、従来の方法においては、端子１の位置を変更する場合にはピンブロックごと移動する必要があり、複数のピンを同時に移動させる必要があったため、移動できる範囲に制約があったが、本発明の方法においては、端子１を１本ずつ基板７へ挿入するため、端子１の基板７上の位置を１本ずつ決める事ができるため、端子３の配置に関する基板７側の設計の自由度を向上させることができる。特にピンの数が増えた場合には、基盤の中でピンを挿入できる位置が限られるため、１本ずつ位置を調整できる事は有効である。さらに、効率的に複数の端子１を配置できるため、基板７の小型化につながり、ひいてはパワーモジュール全体の小型化へつなげることができる。
【００４４】
［２］前項［１］の製造方法において、第二先端部１３の先端から第一本体拡張部１４までの長さが、金型４の端子挿入部４１の深さよりも大きい場合は、摩擦抵抗により、樹脂５から端子１は抜けにくくなる。
［３］前項［１］の製造方法において、第二先端部１３の先端から第一本体拡張部１４までの長さが、金型４の端子挿入部４１の深さと同じか又は小さい場合は、樹脂５の端子挿入部４１への流入を防止し、第二先端部１３を樹脂面（筐体６）から露出させることができる。また、成形時に樹脂が流入する圧力によって、端子１が傾くことを防止することができる。
［４］前項［３］の製造方法において、前記端子本体に第二本体拡張部２５がさらに設けられており、前記第二先端部２３の先端から第二本体拡張部２５までの長さが、前記金型４の前記端子挿入部４１の深さよりも大きい場合は、前項［３］の場合よりもさらに、端子１は抜けにくくなる。
【００４５】
［５］  樹脂製筐体６と、筐体６に一体化されている基板７と、筐体６に一体化されており、基板７に接続されている端子１とを含む、被接続機器に電気的に接続できるパワーモジュール用射出成形体１００であって、端子１は、２つの端部をつなげる端子本体１１と、端部のうち一方を含む第一先端部１２と、第一先端部の反対側の端部を含む第二先端部１３と、端子本体１１に設けられている第一本体拡張部１４とを含み、前記第一本体拡張部１４における前記端子本体１１の長さ方向に直交する断面の面積は、前記端子本体１１における前記端子本体１１の長さ方向に直交する断面の面積よりも大きく、筐体６から第二先端部１３が露出している、パワーモジュール用射出成形体は、一体成形であるため、事前に一次成形（端子をブロック化）する必要がなく、成形体の境目ができないため、半導体の封止に使用する液状封止材料等がその境目に入り込み、意図しない箇所へ封止材が漏れ出すことを防止することができる。
【００４６】
［６］２つの端部をつなげる端子本体１１と、端部のうち一方を含む第一先端部１２と、第一先端部の反対側の端部を含む第二先端部１３と、端子本体に設けられている第一本体拡張部１４とを含み、前記第一本体拡張部１４における前記端子本体１１の長さ方向に直交する断面の面積は、前記端子本体における前記端子本体１１の長さ方向に直交する断面の面積よりも大きい端子１は、寸法の誤差を小さく抑えながら、一体成形によりパワーモジュール用射出成形体を製造することができる。
［７］前項［６］に記載の端子において、端子本体２１に第二本体拡張部２５がさらに設けられ、且つ、端子２の長さ方向の中心点で第一先端部２２を含む第一部と第二先端部２３を含む第二部とに分けた場合、第一部と第二部とは、同じ形状を有する場合は、上下反転しても、端子２を使用することができる。したがって、端子２の方向を気にせず基板７にセットすることができる。
【００４７】
符号の説明
１，２，３  端子（プレスフィット端子）
１１，２１，３１  端子本体
１２，２２，３２  第一先端部
１３，２３，３３  第二先端部
１４，２４，３４  第一本体拡張部
２５，３５        第二本体拡張部
４                樹脂成形金型
４１              端子挿入部
５                樹脂
６                筐体（樹脂が硬化したもの）
７                基板
８                はんだ
１００，１０１    パワーモジュール用射出成形体
【図１】
2019171723.tif 000003
【図２】
2019171723.tif 000004
【図３】
2019171723.tif 000005
【図４】
2019171723.tif 000006
【図５】
2019171723.tif 000007
【図６】
2019171723.tif 000008